(57)【要約】【課題】ＣＶＢＳ信号のＣＲＩの波形が乱れた場合であっても、スライスレベルを適切に設定して、ＶＢＩデータを正常に抜き取る。【解決手段】抜き取り周期検出部１１０において、ＣＶＢＳ信号のＣＲＩの振幅に基づいてＶＢＩデータの抜き取り周期を検出し、ペデスタルレベル検出部９００において、ＣＶＢＳ信号のペデスタルレベル値を検出する。また、ＭＡＸ検出部２００において、ＣＲＩの振幅の最大値を検出する。前記ＣＲＩの振幅の最大値及び前記ペデスタルレベル値を演算部３００に供給して、それらの平均値を演算し、その平均値をスライスレベルとしてデータスライス部４００に入力する。前記データスライス部４００では、前記スライスレベルと、前記抜き取り周期検出部１１０からの抜き取り周期とに基づいて、ＶＢＩデータを抜き取る。【選択図】図１
2007288260.tif 000002
【特許請求の範囲】
【請求項１】
ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、
前記ＣＶＢＳ信号からＶＢＩデータの抜き取り周期を検出する抜き取り周期検出部と、
前記ＣＶＢＳ信号のペデスタルレベル値を検出するペデスタルレベル検出部と、
前記ＣＶＢＳ信号の振幅の最大値を検出するＭＡＸ検出部と、
前記ペデスタルレベル検出部において検出したペデスタルレベル値と、前記ＭＡＸ検出部において検出した振幅の最大値とに基づいて、ＶＢＩデータのスライスレベルを演算する演算部と、
前記抜き取り周期検出部において検出した抜き取り周期と、前記演算部において演算したスライスレベルとに基づいて、前記ＣＶＢＳ信号からＶＢＩデータを抜き取るデータスライス部とを備えた
ことを特徴とするＶＢＩデータスライス回路。
【請求項２】
ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、
前記ＣＶＢＳ信号のペデスタルレベル値を検出するペデスタルレベル検出部と、
前記ＣＶＢＳ信号の振幅の最大値を検出するＭＡＸ検出部と、
前記ＭＡＸ検出部において検出した振幅の最大値の検出周期からＶＢＩデータの抜き取り周期を検出するＭＡＸ周期検出部と、
前記ペデスタルレベル検出部において検出したペデスタルレベル値と、前記ＭＡＸ検出部において検出した振幅の最大値とに基づいて、ＶＢＩデータのスライスレベルを演算する演算部と、
前記ＭＡＸ周期検出部において検出した抜き取り周期と、前記演算部において演算したスライスレベルとに基づいて、前記ＣＶＢＳ信号からＶＢＩデータを抜き取るデータスライス部とを備えた
ことを特徴とするＶＢＩデータスライス回路。
【請求項３】
ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、
前記ＣＶＢＳ信号からＶＢＩデータの抜き取り周期を検出する抜き取り周期検出部と、
前記ＣＶＢＳ信号の振幅の最小値を検出するＭＩＮ検出部と、
前記ＣＶＢＳ信号の振幅の最大値を検出するＭＡＸ検出部と、
前記ＭＩＮ検出部において検出した振幅の最小値及び、前記ＭＡＸ検出部において検出した振幅の最大値を前記スライスレベルの演算に用いるか否かを判定する振幅判定部と、
前記振幅判定部においてスライスレベルの演算に用いると判定された振幅の最小値と振幅の最大値とに基づいて、ＶＢＩデータのスライスレベルを演算する演算部と、
前記抜き取り周期検出部において検出した抜き取り周期と、前記演算部において演算したスライスレベルとに基づいて、前記ＣＶＢＳ信号からＶＢＩデータを抜き取るデータスライス部とを備えた
ことを特徴とするＶＢＩデータスライス回路。
【請求項４】
ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、
前記ＣＶＢＳ信号からＶＢＩデータの抜き取り周期を検出する抜き取り周期検出部と、
前記ＣＶＢＳ信号の振幅の最小値を検出するＭＩＮ検出部と、
前記ＣＶＢＳ信号の振幅の最大値を検出するＭＡＸ検出部と、
前記ＭＩＮ検出部において検出した振幅の最小値及び、前記ＭＡＸ検出部において検出した振幅の最大値が、正常な範囲内の値であるか否かを判定する上限判定部と、
前記上限判定部において正常な範囲内の値であると判定した前記振幅の最小値と前記振幅の最大値とに基づいて、ＶＢＩデータのスライスレベルを演算する演算部と、
前記抜き取り周期検出部において検出した抜き取り周期と、前記演算部において演算したスライスレベルとに基づいて、前記ＣＶＢＳ信号からＶＢＩデータを抜き取るデータスライス部とを備えた
ことを特徴とするＶＢＩデータスライス回路。
【請求項５】
ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、
前記ＣＶＢＳ信号からＶＢＩデータの抜き取り周期を検出する抜き取り周期検出部と、
前記ＣＶＢＳ信号の振幅の最小値を検出するＭＩＮ検出部と、
前記ＣＶＢＳ信号の振幅の最大値を検出するＭＡＸ検出部と、
前記ＭＩＮ検出部において検出した振幅の最小値と、前記ＭＡＸ検出部において検出した振幅の最大値とに基づいて、ＶＢＩデータのスライスレベルを演算する演算部と、
前記演算部において演算したスライスレベルが、スライスレベルとして使用できる範囲内のレベルであるか否かを判定し、使用できないと判定した場合には予め設定した基準値をＶＢＩデータのスライスレベルとして設定するスライス判定部と、
前記抜き取り周期検出部において検出した抜き取り周期と、前記スライス判定部において設定したスライスレベルとに基づいて、前記ＣＶＢＳ信号からＶＢＩデータを抜き取るデータスライス部とを備えた
ことを特徴とするＶＢＩデータスライス回路。
【請求項６】
ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、
前記ＣＶＢＳ信号から前記ＣＶＢＳ信号の奇数フィールド又は偶数フィールドのどちらのフィールドであるかを検出するフィールド検出部と、
前記ＣＶＢＳ信号からＶＢＩデータの抜き取り周期を検出する抜き取り周期検出部と、
前記ＣＶＢＳ信号の振幅の最小値を検出するＭＩＮ検出部と、
前記ＣＶＢＳ信号の振幅の最大値を検出するＭＡＸ検出部と、
前記ＭＩＮ検出部において検出した振幅の最小値と、前記ＭＡＸ検出部において検出した振幅の最大値とに基づいて、ＶＢＩデータのスライスレベルを演算する演算部と、
前記フィールド検出部において検出したフィールド情報と、前記抜き取り周期検出部において検出した抜き取り周期と、前記演算部において演算したスライスレベルとに基づいて、前記ＣＶＢＳ信号からＶＢＩデータを抜き取るデータスライス部とを備えた
ことを特徴とするＶＢＩデータスライス回路。
【発明の詳細な説明】
【技術分野】
【０００１】
本発明は、映像信号のＶＢＩ（Ｖｅｒｔｉｃａｌ  Ｂｌａｎｋｉｎｇ  Ｉｎｔｅｒｖａｌ）期間に重畳されたＶＢＩデータを抜き取るＶＢＩデータスライス回路に関するものである。
【背景技術】
【０００２】
従来からのテレビ受信システムは、例えば、図１３に示すような回路によって構成されている。
【０００３】
図１３は、従来からのテレビ受信システムの全体構成の回路図を示している。
【０００４】
同図において、従来からのテレビ受信システムでは、画面チューナー１６においてアンテナからの映像／音声信号を受信して、画面音声信号処理部１８において音声信号を処理し、ＶＢＩ信号データ抜き取り部１９において映像信号からＶＢＩデータを抜き取る。その後、画面字幕制御部１５において前記ＶＢＩ信号データ抜き取り部１９で抜き取ったＶＢＩデータから字幕データを作成し、その字幕データをオンスクリーン表示処理部２０においてオンスクリーン信号に変換する。
【０００５】
前記画面チューナー１６からの映像信号及び、前記オンスクリーン表示処理部２０からのオンスクリーン信号は、画面映像信号処理部１７において処理され、前記画面映像信号処理部１７からの映像信号及び、前記オンスクリーン表示処理部２０からのオンスクリーン信号は映像合成処理部２１において合成される。前記映像合成処理部２１において合成された合成信号がテレビ等の表示装置に入力されて、字幕データが合成された合成映像が表示される。
【０００６】
上記従来からのテレビ受信システムは、テレビ制御部１３において制御されており、前記画面チューナー１６、前記画面映像信号処理部１７、及び映像合成処理部２１に制御信号が供給される。
【０００７】
また、前記従来からのテレビ受信システムは、利用者にリモコンによって操作され、前記リモコンからの送信コードを解読するリモコンコード解読部１１と、前記リモコンコード解読部１１から入力されたイベントを判断して前記テレビ制御部１３に指示を出すイベント管理部１２と、現在の状態モードを記憶する記憶部１４とをさらに備えている。
【０００８】
従来、ＶＢＩ信号データ抜き取り部１９として、特許文献１に記載された技術がある。
【０００９】
図１４は、前記特許文献１に記載されたＶＢＩデータスライス回路１９の全体構成のブロック図である。同図において、映像信号であるＣＶＢＳ（Ｃｏｍｐｏｓｉｔｅ  Ｖｉｄｅｏ  Ｂｕｒｓｔ  Ｓｉｇｎａｌ）信号がＶＢＩデータスライス回路１９に供給されると、前記ＣＶＢＳ信号は抜き取り周期検出部１１０及びＭＩＮ検出部１００に入力される。前記抜き取り周期検出部１１０では、ＣＶＢＳ信号のＣＲＩ（Ｃｌｏｃｋ  Ｒｕｎ  Ｉｎ）の振幅に基づいてＶＢＩデータの抜き取り周期を検出し、その抜き取り周期をデータスライス部４００に入力する。また、前記ＭＩＮ検出部１００では、ＣＲＩの振幅の最小値を検出して、その最小値をＭＩＮ値として演算部３００に供給する。前記ＭＩＮ検出部１００に供給されたＣＶＢＳ信号は、前記ＭＩＮ検出部１００の後段に位置するＭＡＸ検出部２００に入力され、前記ＭＡＸ検出部２００では、ＣＲＩの振幅の最大値を検出して、その最大値をＭＡＸ値として前記演算部３００に供給する。前記演算部３００では、前記ＭＩＮ検出部１００からのＭＩＮ値と、前記ＭＡＸ検出部２００からのＭＡＸ値との平均値を演算し、その平均値を前記データスライス部４００に入力する。前記データスライス部４００では、前記演算部３００から入力された平均値をスライスレベルに設定して、前記抜き取り周期検出部１１０から入力された抜き取り周期によって、ＣＶＢＳ信号のＣＲＩ後に重畳されているＶＢＩデータを「０」及び「１」で二値化して抜き取る。
【００１０】
図１５に、従来のＶＢＩデータスライス回路１９におけるＶＢＩデータの抜き取り方法の模式図を示す。
【００１１】
図１４のＭＩＮ検出部１００において、ＣＶＢＳ信号のＣＲＩのＭＩＮ値５００を検出し、ＭＡＸ検出部２００において、前記ＣＲＩのＭＡＸ値６００を検出する。演算部３００では、前記ＭＩＮ値５００と前記ＭＡＸ値６００との平均値を演算して、その結果をデータスライス部４００に入力する。前記データスライス部４００では、前記演算部３００で演算した平均値をスライスレベル７００に設定して、抜き取り周期検出部１１０で検出した抜き取り周期に基づいて、ＣＶＢＳ信号からＦＣ（フレーミングコード）及びＤＡＴＡ（データ）から成るＶＢＩデータ８００を抜き取る。図１５に示すように、ＶＢＩデータ８００はスライスレベル７００を閾値として、「０」及び「１」の二値で表現される。
【特許文献１】特開昭６２−８４６８７号公報
【発明の開示】
【発明が解決しようとする課題】
【００１２】
しかしながら、前記特許文献１記載の技術では、ＣＲＩの振幅の最小値及び最大値を検出して、それらの平均値をスライスレベルに設定してＶＢＩデータを抜き取るので、ゴーストやノイズ等の影響によってＣＲＩの波形が乱れると、最小値や最大値を正しく検出できなくなり、スライスレベルを適切に設定できず、正常にＶＢＩデータを抜き取ることが困難であるという問題があった。また、ＣＲＩの振幅に基づいてＶＢＩデータの抜き取り周期を検出するので、ＣＲＩの波形が乱れることによって抜き取り周期を適切に設定できないため、正常にＶＢＩデータを抜き取ることが困難であった。
【００１３】
例えば、図１６（ａ）に示すように、ゴーストの発生箇所で最小値を検出すると、正常よりも高い位置を最小値と判断してスライスレベルを設定することにより、正常なスライスレベルよりも高いレベルにスライスレベルを設定する可能性がある。また、同図（ｂ）に示すように、ノイズの発生箇所で最大値を検出すると、正常よりも高い位置を最大値と判断することにより、正常なスライスレベルよりも高いレベルにスライスレベルを設定する可能性がある。
【００１４】
本発明は、前記の課題に着目してなされたものであり、ＣＶＢＳ信号のＣＲＩの波形が乱れた場合であっても、スライスレベルや抜き取り周期を適切に設定して、ＶＢＩデータを正常に抜き取ることを目的とする。
【課題を解決するための手段】
【００１５】
前記の目的を達成するために、本発明では、スライスレベルを閾値に設定してＣＶＢＳ信号からＶＢＩデータを抜き出すＶＢＩデータスライス回路において、ゴーストやノイズの影響を受けにくい情報を用いたスライスレベルの設定や、抽出した情報や設定したスライスレベルの補正を行うことが可能な回路構成を採用する。
【００１６】
具体的に、請求項１記載の発明のＶＢＩデータスライス回路は、ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、前記ＣＶＢＳ信号からＶＢＩデータの抜き取り周期を検出する抜き取り周期検出部と、前記ＣＶＢＳ信号のペデスタルレベル値を検出するペデスタルレベル検出部と、前記ＣＶＢＳ信号の振幅の最大値を検出するＭＡＸ検出部と、前記ペデスタルレベル検出部において検出したペデスタルレベル値と、前記ＭＡＸ検出部において検出した振幅の最大値とに基づいて、ＶＢＩデータのスライスレベルを演算する演算部と、前記抜き取り周期検出部において検出した抜き取り周期と、前記演算部において演算したスライスレベルとに基づいて、前記ＣＶＢＳ信号からＶＢＩデータを抜き取るデータスライス部とを備えたことを特徴とする。
【００１７】
請求項２記載の発明のＶＢＩデータスライス回路は、ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、前記ＣＶＢＳ信号のペデスタルレベル値を検出するペデスタルレベル検出部と、前記ＣＶＢＳ信号の振幅の最大値を検出するＭＡＸ検出部と、前記ＭＡＸ検出部において検出した振幅の最大値の検出周期からＶＢＩデータの抜き取り周期を検出するＭＡＸ周期検出部と、前記ペデスタルレベル検出部において検出したペデスタルレベル値と、前記ＭＡＸ検出部において検出した振幅の最大値とに基づいて、ＶＢＩデータのスライスレベルを演算する演算部と、前記ＭＡＸ周期検出部において検出した抜き取り周期と、前記演算部において演算したスライスレベルとに基づいて、前記ＣＶＢＳ信号からＶＢＩデータを抜き取るデータスライス部とを備えたことを特徴とする。
【００１８】
請求項３記載の発明のＶＢＩデータスライス回路は、ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、前記ＣＶＢＳ信号からＶＢＩデータの抜き取り周期を検出する抜き取り周期検出部と、前記ＣＶＢＳ信号の振幅の最小値を検出するＭＩＮ検出部と、前記ＣＶＢＳ信号の振幅の最大値を検出するＭＡＸ検出部と、前記ＭＩＮ検出部において検出した振幅の最小値及び、前記ＭＡＸ検出部において検出した振幅の最大値を前記スライスレベルの演算に用いるか否かを判定する振幅判定部と、前記振幅判定部においてスライスレベルの演算に用いると判定された振幅の最小値と振幅の最大値とに基づいて、ＶＢＩデータのスライスレベルを演算する演算部と、前記抜き取り周期検出部において検出した抜き取り周期と、前記演算部において演算したスライスレベルとに基づいて、前記ＣＶＢＳ信号からＶＢＩデータを抜き取るデータスライス部とを備えたことを特徴とする。
【００１９】
請求項４記載の発明のＶＢＩデータスライス回路は、ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、前記ＣＶＢＳ信号からＶＢＩデータの抜き取り周期を検出する抜き取り周期検出部と、前記ＣＶＢＳ信号の振幅の最小値を検出するＭＩＮ検出部と、前記ＣＶＢＳ信号の振幅の最大値を検出するＭＡＸ検出部と、前記ＭＩＮ検出部において検出した振幅の最小値及び、前記ＭＡＸ検出部において検出した振幅の最大値が、正常な範囲内の値であるか否かを判定する上限判定部と、前記上限判定部において正常な範囲内の値であると判定した前記振幅の最小値と前記振幅の最大値とに基づいて、ＶＢＩデータのスライスレベルを演算する演算部と、前記抜き取り周期検出部において検出した抜き取り周期と、前記演算部において演算したスライスレベルとに基づいて、前記ＣＶＢＳ信号からＶＢＩデータを抜き取るデータスライス部とを備えたことを特徴とする。
【００２０】
請求項５記載の発明のＶＢＩデータスライス回路は、ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、前記ＣＶＢＳ信号からＶＢＩデータの抜き取り周期を検出する抜き取り周期検出部と、前記ＣＶＢＳ信号の振幅の最小値を検出するＭＩＮ検出部と、前記ＣＶＢＳ信号の振幅の最大値を検出するＭＡＸ検出部と、前記ＭＩＮ検出部において検出した振幅の最小値と、前記ＭＡＸ検出部において検出した振幅の最大値とに基づいて、ＶＢＩデータのスライスレベルを演算する演算部と、前記演算部において演算したスライスレベルが、スライスレベルとして使用できる範囲内のレベルであるか否かを判定し、使用できないと判定した場合には予め設定した基準値をＶＢＩデータのスライスレベルとして設定するスライス判定部と、前記抜き取り周期検出部において検出した抜き取り周期と、前記スライス判定部において設定したスライスレベルとに基づいて、前記ＣＶＢＳ信号からＶＢＩデータを抜き取るデータスライス部とを備えたことを特徴とする。
【００２１】
請求項６記載の発明のＶＢＩデータスライス回路は、ＣＶＢＳ（Ｃｏｍｐｏｓｉｔｅ  Ｖｉｄｅｏ  Ｂｕｒｓｔ  Ｓｉｇｎａｌ）信号のＶＢＩ（Ｖｅｒｔｉｃａｌ  Ｂｌａｎｋｉｎｇ  Ｉｎｔｅｒｖａｌ）期間に重畳されたＶＢＩデータをスライスレベルに基づいて抜き取るＶＢＩデータスライス回路であって、前記ＣＶＢＳ信号から前記ＣＶＢＳ信号の奇数フィールド又は偶数フィールドのどちらのフィールドであるかを検出するフィールド検出部と、前記ＣＶＢＳ信号からＶＢＩデータの抜き取り周期を検出する抜き取り周期検出部と、前記ＣＶＢＳ信号の振幅の最小値を検出するＭＩＮ検出部と、前記ＣＶＢＳ信号の振幅の最大値を検出するＭＡＸ検出部と、前記ＭＩＮ検出部において検出した振幅の最小値と、前記ＭＡＸ検出部において検出した振幅の最大値とに基づいて、ＶＢＩデータのスライスレベルを演算する演算部と、前記フィールド検出部において検出したフィールド情報と、前記抜き取り周期検出部において検出した抜き取り周期と、前記演算部において演算したスライスレベルとに基づいて、前記ＣＶＢＳ信号からＶＢＩデータを抜き取るデータスライス部とを備えたことを特徴とする。
【００２２】
以上により、請求項１記載の発明では、ＭＩＮ検出部の代替としてペデスタルレベル検出部を備え、前記ペデスタルレベル検出部において、ＣＲＩの振幅の最小値よりもゴーストやノイズの影響を受けにくいペデスタルレベル値を検出してスライスレベルを設定するので、ＣＲＩの振幅の最小値がゴースト等の影響によって正常でない場合であってもスライスレベルの設定には影響を与えない。
【００２３】
請求項２記載の発明では、抜き取り周期検出部の代替としてＭＡＸ周期検出部を備え、前記ＭＡＸ周期検出部において、ＣＲＩの振幅の最大値からＶＢＩデータのスライス周期を設定するので、ＣＲＩの振幅の周期がゴースト等の影響によって正常でない場合であっても抜き取り周期の設定には影響を与えない。
【００２４】
請求項３記載の発明では、振幅判定部を新たに備え、ＣＲＩの振幅の最小値と最大値との変位差によって、ＭＩＮ検出部で検出した最小値やＭＡＸ検出部で検出した最大値をスライスレベルの設定に用いるか否かを判定するので、ゴースト等の影響でＣＲＩの振幅が正常でない場合であっても正常な最小値や最大値によってスライスレベルが設定される。
【００２５】
請求項４記載の発明では、上限判定部を新たに備え、ＣＲＩの振幅の最小値や最大値の上限値を設定するので、ゴースト等の影響でＣＲＩの振幅が正常でない場合であっても正常な最小値や最大値によってスライスレベルが設定される。
【００２６】
請求項５記載の発明では、スライス判定部を新たに備え、ＣＲＩの振幅の最小値及び最大値を用いて演算したスライスレベルの上限値を設定するので、ゴースト等の影響でＣＲＩの振幅が正常でない場合であってもスライスレベルの設定に影響を与えない。
【００２７】
請求項６記載の発明では、フィールド検出部を新たに備え、ＣＶＢＳ信号の奇数フィールドや偶数フィールドを検出して、奇数／偶数フィールドごとにスライスレベルを設定するので、奇数／偶数フィールドごとにＣＲＩの有無が異なる場合であっても、フィールドごとにスライスレベルが設定される。
【発明の効果】
【００２８】
以上説明したように、請求項１〜５記載の発明のＶＢＩデータスライス回路によれば、ゴーストやノイズが発生した場合であっても、スライスレベルや抜き取り周期が適切に設定されるので、ＣＶＢＳ信号からＶＢＩデータを正常に抜き取ることが可能となる。
【００２９】
また、請求項６記載のＶＢＩデータスライス回路によれば、奇数／偶数フィールドごとにスライスレベルの設定を行うので、奇数／偶数フィールドごとにＣＲＩの有無が異なる場合であっても、ＣＶＢＳ信号からＶＢＩデータを正常に抜き取ることが可能となる。
【発明を実施するための最良の形態】
【００３０】
以下、本発明の実施形態のＶＢＩデータスライス回路を図面に基づいて説明する。
【００３１】
（第１の実施形態）
図１は、本発明の第１の実施形態のＶＢＩデータスライス回路の全体構成を示したブロック図である。
【００３２】
同図において、ＶＢＩデータスライス回路１５０の内部には、抜き取り周期検出部１１０、ＭＡＸ検出部２００、演算部３００、データスライス部４００、ペデスタルレベル検出部９００が備えられる。前記ペデスタルレベル検出部９００以外の構成は、図１４に示した従来技術と同様であるので、その詳細な説明を省略する。
【００３３】
ＶＢＩデータスライス回路１５０にＣＶＢＳ信号が供給されると、前記ＣＶＢＳ信号は抜き取り周期検出部１１０及びペデスタルレベル検出部９００に入力される。前記抜き取り周期検出部１１０では、ＣＶＢＳ信号のＣＲＩの振幅に基づいて、ＶＢＩデータの抜き取り周期を検出し、その抜き取り周期をデータスライス部４００に入力する。
【００３４】
前記ペデスタルレベル検出部９００では、ＣＶＢＳ信号のペデスタルレベル値（映像信号の黒レベルの値）を検出して、そのペデスタルレベル値を演算部３００に供給する。前記ペデスタルレベル検出部９００に供給されたＣＶＢＳ信号は、後段に位置するＭＡＸ検出部２００に入力され、前記ＭＡＸ検出部２００では、ＣＲＩの振幅の最大値を検出して、その最大値をＭＡＸ値として前記演算部３００に供給する。
【００３５】
前記演算部３００では、前記ペデスタルレベル検出部９００からのペデスタルレベル値と、前記ＭＡＸ検出部２００からのＭＡＸ値との平均値を演算し、その平均値をスライスレベルとして前記データスライス部４００に入力する。前記データスライス部４００では、前記演算部３００から入力されたスライスレベルと、前記抜き取り周期検出部１１０から入力された抜き取り周期とに基づいて、ＣＶＢＳ信号のＣＲＩ後に重畳されているＶＢＩデータを「０」及び「１」で二値化して抜き取る。
【００３６】
図２に、本発明の第１の実施形態のＶＢＩデータスライス回路１５０におけるＶＢＩデータの抜き取り方法の模式図を示す。
【００３７】
図１のペデスタルレベル検出部９００において、ＣＶＢＳ信号のペデスタルレベル値９１０を検出し、ＭＡＸ検出部２００において、前記ＣＶＢＳ信号のＣＲＩのＭＡＸ値６００を検出する。演算部３００では、前記ペデスタルレベル値９１０と前記ＭＡＸ値６００との平均値を演算して、その値をスライスレベル７１０としてデータスライス部４００に入力する。前記データスライス部４００では、前記演算部３００で演算したスライスレベル７１０と、抜き取り周期検出部１１０で検出した抜き取り周期とに基づいて、ＣＶＢＳ信号からＶＢＩデータ８１０を抜き取る。図２に示すように、従来のＶＢＩデータスライス回路（図１４）を用いた場合には、ＭＩＮ値５００とＭＡＸ値６００との平均値をスライスレベル７００に設定してＶＢＩデータ８００を抜き取るので、正常にデータの抜き取りが行えていない。
【００３８】
弱電界対策のためにＶＢＩデータスライス回路の前段にローパスフィルタを配置した場合に、映像信号であるＣＶＢＳ信号の振幅が小さくなり、前記ＣＶＢＳ信号のＣＲＩが鈍ることで振幅が高いレベルで維持されて、ＭＩＮ値５００がペデスタルレベル値９１０と同レベルまで落ちない問題が発生する。そのため、従来のＶＢＩデータスライス回路を用いた際にはスライスレベル７００が高く設定されて、誤ったＶＢＩデータ８００を抜き取ってしまう。本実施形態のＶＢＩデータスライス回路１５０ではＭＩＮ値５００を用いずに、ＣＲＩのＭＡＸ値６００とペデスタルレベル値９１０との平均値によってスライスレベル７１０を設定するので、この問題を回避して、正常なＶＢＩデータ８１０を抜き取ることが可能となる。
【００３９】
以上説明したように、本実施の形態のＶＢＩデータスライス回路では、ＶＢＩデータスライス回路の前段にローパスフィルタ等配置することによって、ＣＲＩの振幅の最小値が正常でない場合であっても、スライスレベルを適切に設定して、ＶＢＩデータを正常に抜き取ることが可能である。
【００４０】
（第２の実施形態）
図３は、本発明の第２の実施形態のＶＢＩデータスライス回路の全体構成を示したブロック図である。
【００４１】
同図において、ＶＢＩデータスライス回路３５０の内部には、ＭＡＸ検出部２００、演算部３００、データスライス部４００、ペデスタルレベル検出部９００、ＭＡＸ周期検出部１１００が備えられる。前記ＭＡＸ周期検出部１１００以外の構成は、図１４の従来技術及び図１の第１の実施形態と同様であるので、その説明は省略する。
【００４２】
ＭＡＸ周期検出部１１００では、ＭＡＸ検出部２００において検出したＣＲＩの振幅の最大値の検出周期に基づいてＶＢＩデータの抜き取り周期を検出し、その抜き取り周期をデータスライス部４００に入力する。
【００４３】
図４（ａ）に、従来のＶＢＩデータスライス回路１９における抜き取り周期の検出方法の模式図を示し、同図（ｂ）に、本発明の第２の実施形態のＶＢＩデータスライス回路３５０における抜き取り周期の検出方法の模式図を示す。
【００４４】
図３のＭＡＸ周期検出部１１００では、ＭＡＸ検出部２００において検出したＣＶＢＳ信号のＣＲＩの最大値の検出周期に基づいて、図４（ｂ）の抜き取り周期Ｔinvを検出する。同図（ａ）に示すように、図１４に示した従来のＶＢＩデータスライス回路においてＣＶＢＳ信号のＣＲＩの最大値及び最小値に基づいて抜き取り周期Ｔconを検出したとき、弱電界対策のためにＶＢＩデータスライス回路の前段にフィルターを配置した場合に、映像信号であるＣＶＢＳ信号のＣＲＩの立ち下がりが急になって、ＣＲＩの周期が正常に検出できない問題が発生する。そのため、従来のＶＢＩデータスライス回路において抜き取り周期Ｔconを検出すると、ＶＢＩデータの抜き取り周期が乱れることにより、ＦＣやＤＡＴＡの周期とのずれが生じて、正常にＶＢＩデータを抜き取ることができない。
【００４５】
本実施形態のＶＢＩデータスライス回路３５０では、ＣＲＩ全体の周期の位相は合わせずに、ＭＡＸ検出部２００において検出したＭＡＸ値の周期に基づいてＶＢＩデータの抜き取りを行うので、この問題を回避して正常にＶＢＩデータを抜き取ることが可能となる。
【００４６】
以上説明したように、本実施形態のＶＢＩデータスライス回路では、ゴースト等の影響によって、ＣＲＩの周期が正常でない場合であっても、抜き取り周期を適切に設定して、ＶＢＩデータを正常に抜き出すことが可能となる。
【００４７】
（第３の実施形態）
図５は、本発明の第３の実施形態のＶＢＩデータスライス回路の全体構成を示したブロック図である。
【００４８】
同図において、ＶＢＩデータスライス回路５５０の内部には、ＭＩＮ検出部１００、抜き取り周期検出部１１０、ＭＡＸ検出部２００、演算部３００、データスライス部４００、振幅判定部１２００が備えられる。前記振幅判定部１２００以外の構成は、図１４の従来技術と同様であるので、その説明は省略する。
【００４９】
振幅判定部１２００では、ＭＩＮ検出部１００において検出したＭＩＮ値とＭＡＸ検出部２００において検出したＭＡＸ値との変位差が所定の変位差以上でない場合には、そのＭＩＮ値及びＭＡＸ値を演算部３００に入力しないように動作する。前記の振幅判定部１２００において所定の変位差以上となったＭＩＮ値及びＭＡＸ値が前記演算部３００に入力され、それらの平均値を演算してスライスレベルが設定される。
【００５０】
図６に、本発明の第３の実施形態のＶＢＩデータスライス回路５５０におけるＶＢＩデータの抜き取り方法の模式図を示す。
【００５１】
例えば、図５のＭＩＮ検出部１００においてＭＩＮ値ＶMINを検出し、ＭＡＸ検出部２００においてＭＡＸ値ＶMAXを検出した場合に、振幅判定部１２００において、前記ＭＩＮ値ＶMINと前記ＭＡＸ値ＶMAXとは変位差（ＶMAX−ＶMIN）が小さいので、それらの値を誤検出したと判断して、演算部３００には入力しない。
【００５２】
ゴーストの影響によってＣＲＩの振幅のＭＩＮ値とＭＡＸ値との変位差（ＶMAX−ＶMIN）が所定の変位差以上でない場合には、そのＭＩＮ値とＭＡＸ値とを誤検出と判断して、スライスレベル７１０の演算には用いない。図１４に示した従来のＶＢＩデータスライス回路では、本実施形態で誤検出と見なしたＭＩＮ値ＶMIN及びＭＡＸ値ＶMAXについてもスライスレベル７００の演算に用いるので、従来のＶＢＩデータスライス回路でのスライスレベル７００では、スライスレベルが高くなり過ぎてしまうので正常ではないＶＢＩデータ８００を抜き取る。これに対して、本実施形態のＶＢＩデータスライス回路５５０では、上記のように、振幅判定部１２００によって、スライスレベル７１０の演算に用いるＭＩＮ値及びＭＡＸ値を判定するので、正常なＶＢＩデータ８１０を抜き取ることが可能となる。
【００５３】
以上説明したように、本実施形態のＶＢＩデータスライス回路では、振幅判定部１２００において、スライスレベルの設定に用いられるＭＩＮ値とＭＡＸ値との変位差が所定の変位差以上でない場合には、そのＭＩＮ値及びＭＡＸ値を誤検出したと判断してスライスレベルの演算には用いずに、正常時のＭＩＮ値とＭＡＸ値との平均値をスライスレベルに設定するので、ゴースト等によってＣＲＩの振幅が正常でない場合であっても、スライスレベルを適切に設定してＶＢＩデータを正常に抜き取ることが可能である。
【００５４】
尚、本実施形態では、ＭＩＮ検出部１００において検出したＭＩＮ値と、ＭＡＸ検出部２００において検出したＭＡＸ値との変位差に基づいて、前記ＭＩＮ値及び前記ＭＡＸ値をスライスレベル７１０の演算に用いるか否かを判定したが、任意の判定基準を用いても良いのは勿論である。
【００５５】
（第４の実施形態）
図７は、本発明の第４の実施形態のＶＢＩデータスライス回路の全体構成を示したブロック図である。
【００５６】
同図において、ＶＢＩデータスライス回路７５０の内部には、ＭＩＮ検出部１００、抜き取り周期検出部１１０、ＭＡＸ検出部２００、演算部３００、データスライス部４００、上限判定部１３００が備えられる。前記上限判定部１３００以外の構成は、図１４の従来技術と同様であるので、その説明は省略する。
【００５７】
上限判定部１３００では、ＭＩＮ検出部１００において検出したＭＩＮ値や、ＭＡＸ検出部２００において検出したＭＡＸ値が所定の範囲外の値である場合には、そのＭＩＮ値若しくはＭＡＸ値、及びそれに対応したＭＡＸ値若しくはＭＩＮ値を演算部３００に入力しないように動作する。前記上限判定部１３００において、所定の範囲内であると判断されたＭＩＮ値及びＭＡＸ値が前記演算部３００に入力されて、それらの平均値が演算される。
【００５８】
図８に、本発明の第４の実施形態のＶＢＩデータスライス回路７５０におけるＶＢＩデータの抜き取り方法の模式図を示す。
【００５９】
図７のＭＩＮ検出部１００においてＣＲＩの振幅のＭＩＮ値を検出し、ＭＡＸ検出部２００においてＣＲＩの振幅のＭＡＸ値を検出する。上限判定部１３００では、前記ＭＩＮ値やＭＡＸ値が所定の範囲内の値であるか否かを判断する。ノイズ等の影響によって、前記所定の範囲外の値を検出した場合には、そのＭＩＮ値若しくはＭＡＸ値、及びそれに対応したＭＡＸ値若しくはＭＩＮ値を誤検出したと判断して演算部３００に入力しないように動作し、前記演算部３００では、所定の範囲内の値のＭＩＮ値及びＭＡＸ値の平均値によってスライスレベル７1０が演算される。図１４に示した従来のＶＢＩデータスライス回路では、本実施形態において誤検出と見なしたＭＩＮ値及びＭＡＸ値についてもスライスレベルの演算に用いるので、従来のＶＢＩデータスライス回路でのスライスレベル７００では、スライスレベルが高くなりすぎてしまうので正常ではないＶＢＩデータ８００を抜き取る。これに対して、本実施形態のＶＢＩデータスライス回路７５０では、スライスレベル７１０を設定するので、正常なＶＢＩデータ８１０を抜き取ることが可能となる。
【００６０】
以上説明したように、本実施形態のＶＢＩデータスライス回路７５０では、上限判定部１３００において、検出したＭＩＮ値やＭＡＸ値が所定の範囲内の値でない場合に、そのＭＩＮ値及びＭＡＸ値を誤検出と判断してスライスレベルの設定には用いずに、所定の範囲内の値のＭＩＮ値とＭＡＸ値との平均値をスライスレベルに設定するので、ノイズ等によって、ＣＲＩの振幅が正常でない場合であっても、スライスレベルを適切に設定して、ＶＢＩデータを正常に抜き取ることが可能である。
【００６１】
（第５の実施形態）
図９は、本発明の第５の実施形態のＶＢＩデータスライス回路の全体構成を示したブロック図である。
【００６２】
同図において、ＶＢＩデータスライス回路９５０の内部には、ＭＩＮ検出部１００、抜き取り周期検出部１１０、ＭＡＸ検出部２００、演算部３００、データスライス部４００、スライス判定部１４００が備えられている。前記スライス判定部１４００以外の構成は、図１４に示した従来技術と同様であるので、その説明は省略する。
【００６３】
前記スライス判定部１４００では、前記演算部３００において演算した前記ＭＩＮ検出部１００からのＭＩＮ値と前記ＭＡＸ検出部２００からのＭＡＸ値との平均値が、スライスレベルとして使用できるか否かを判断し、使用できないと判断した場合には予め設定した基準値を前記データスライス部４００に入力して、その基準値をスライスレベルとして用いる。前記データスライス部４００では、前記基準値によって設定したスライスレベルに基づいて、ＣＶＢＳ信号からＶＢＩデータの抜き取りを行う。
【００６４】
図１０に、本発明の第５の実施形態のＶＢＩデータスライス回路９５０におけるＶＢＩデータの抜き取り方法の模式図を示す。
【００６５】
例えば、ＭＩＮ値５００及びＭＡＸ値６００を検出した場合、図１４に示した従来のＶＢＩデータスライス回路では、前記ＭＩＮ値５００と前記ＭＡＸ値６００との平均値をスライスレベル７００として用いてＶＢＩデータ８００を抜き取る。本実施形態のＶＢＩデータスライス回路９５０では、スライス判定部１４００において、前記ＭＩＮ値５００と前記ＭＡＸ値６００との平均値がスライスレベルに使用できるレベルか否かを判断し、使用できないと判断した場合には、予め設定した基準値をスライスレベル７１０に設定してＶＢＩデータ８１０の抜き取りを行う。
【００６６】
ゴーストの影響によってＣＲＩの振幅のＭＩＮ値やＭＡＸ値が乱れた場合には、従来のスライスレベル７００は正常では有り得ないレベルであるので、適切にＶＢＩデータを抜き取ることが不可能である。しかしながら、本発明では、ＭＩＮ値とＭＡＸ値とを用いて演算した平均値がスライスレベルに使用できるか否かを判断し、使用できないと判断した場合には、演算部３００で演算した平均値をスライスレベルとして用いずに、予め設定した基準値をスライスレベル７１０としてＶＢＩデータを抜き取ることにより、正常なＶＢＩデータ８１０を抜き出すことが可能となる。
【００６７】
以上説明したように、本実施形態のＶＢＩデータスライス回路９５０では、ノイズ等の影響によって、ＣＲＩの振幅が正常でない場合であっても、スライスレベルを適切に設定して、ＶＢＩデータを正常に抜き出すこと可能となる。
【００６８】
（第６の実施形態）
図１１は、本発明の第６の実施形態のＶＢＩデータスライス回路の全体構成を示したブロック図である。
【００６９】
同図において、ＶＢＩデータスライス回路１１５０の内部には、ＭＩＮ検出部１００、抜き取り周期検出部１１０、ＭＡＸ検出部２００、演算部３００、データスライス部４００、フィールド検出部１５００が備えられる。前記フィールド検出部１５００以外の構成は、図１４の従来技術と同様であるので、その説明は省略する。
【００７０】
フィールド検出部１５００では、ＣＶＢＳ信号の奇数フィールド及び偶数フィールドを判定し、その判定結果をデータスライス部４００に入力する。前記データスライス部４００では、その判定結果に基づいて、ＣＶＢＳ信号からフィールド毎にＶＢＩデータを抜き取る。
【００７１】
図１２に、本発明の第６の実施形態のＶＢＩデータスライス回路１１５０におけるＶＢＩデータの抜き取り方法の模式図を示す。同図（ａ）は、ＣＶＢＳ信号の奇数フィールドを示し、同図（ｂ）はＣＶＢＳ信号の偶数フィールドを示す。
【００７２】
同図（ａ）に示すように、ＣＶＢＳ信号の奇数フィールドにはＣＲＩ等のデータが重畳されていないので、スライスレベル７２０はペデスタルレベルと同レベルに設定される。      
【００７３】
同図（ｂ）に示すように、本発明では図１１のフィールド検出部１５００において、ＣＶＢＳ信号の奇数フィールド及び偶数フィールドを検出し、奇数フィールドのＶＢＩデータの抜き取りには奇数フィールドのデータに基づいて演算したスライスレベル７２０を使用し、偶数フィールドのＶＢＩデータの抜き取りには偶数フィールドのデータに基づいて演算したスライスレベル７１０を使用するので、正常なＶＢＩデータ８１０を抜き取ることが可能となる。
【００７４】
図１４に示した従来のＶＢＩデータスライス回路では、奇数フィールドのデータに基づいて設定したスライスレベル７２０を、偶数フィールドのＶＢＩデータの抜き取りにも使用するので、誤ったＶＢＩデータ８００を抜き取ってしまう。
【００７５】
以上説明したように、本実施形態のＶＢＩデータスライス回路１１５０では、フィールド判定部１５００において、ＣＶＢＳ信号の奇数フィールド及び偶数フィールドを検出し、フィールドごとにスライスレベルを設定するので、奇数フィールド及び偶数フィールドで重畳されたデータの振幅等が異なる場合であっても、スライスレベルを適切に設定してＶＢＩデータを正常に抜き取ることが可能となる。
【産業上の利用可能性】
【００７６】
以上説明したように、本発明は、ＣＶＢＳ信号のＣＲＩの波形等が乱れた場合であっても、スライスレベルや抜き取り周期を適切に設定してＶＢＩデータを正常に抜き取ることが可能であるので、特に、ＶＢＩデータスライス回路を有するテレビ受信システム等として有用である。
【図面の簡単な説明】
【００７７】
【図１】本発明の第１の実施形態のＶＢＩデータスライス回路の全体構成を示すブロック図である。
【図２】同ＶＢＩデータスライス回路におけるＶＢＩデータの抜き取り方法を示す模式図である。
【図３】本発明の第２の実施形態のＶＢＩデータスライス回路の全体構成を示すブロック図である。
【図４】同図（ａ）は、従来のＶＢＩデータスライス回路におけるＶＢＩデータの抜き取り方法を示す模式図であり、同図（ｂ）は、本発明の第２の実施形態のＶＢＩデータスライス回路におけるＶＢＩデータの抜き取り方法を示す模式図である。
【図５】本発明の第３の実施形態のＶＢＩデータスライス回路の全体構成を示すブロック図である。
【図６】同ＶＢＩデータスライス回路におけるＶＢＩデータの抜き取り方法を示す模式図である。
【図７】本発明の第４の実施形態のＶＢＩデータスライス回路の全体構成を示すブロック図である。
【図８】同ＶＢＩデータスライス回路におけるＶＢＩデータの抜き取り方法を示す模式図である。
【図９】本発明の第５の実施形態のＶＢＩデータスライス回路の全体構成を示すブロック図である。
【図１０】同ＶＢＩデータスライス回路におけるＶＢＩデータの抜き取り方法を示す模式図である。
【図１１】本発明の第６の実施形態のＶＢＩデータスライス回路の全体構成を示すブロック図である。
【図１２】同図（ａ）は、同ＶＢＩデータスライス回路におけるＣＶＢＳ信号の奇数フィールドでのスライスレベルの設定を示す図であり、同図（ｂ）は、同ＶＢＩデータスライス回路におけるＣＶＢＳ信号の偶数フィールドでのスライスレベルの設定及び、ＶＢＩデータの抜き取り方法を示す図である。
【図１３】従来からのテレビ受信システムの全体構成を示す回路図である。
【図１４】従来のＶＢＩデータスライス回路の全体構成を示すブロック図である。
【図１５】同ＶＢＩデータスライス回路におけるＶＢＩデータの抜き取り方法を示す模式図である。
【図１６】（ａ）は、ゴーストの影響によって乱れたＣＶＢＳ信号内のＣＲＩを示す図であり、（ｂ）は、ノイズの影響によって乱れたＣＲＩを示す図である。
【符号の説明】
【００７８】
１００                          ＭＩＮ検出部
１１０                        抜き取り周期検出部
１５０、３５０、５５０
７５０、９５０、１１５０    ＶＢＩデータスライス回路
２００                        ＭＡＸ検出部
３００                        演算部
４００                        データスライス部
５００                        ＭＩＮ値
６００                        ＭＡＸ値
７００                        従来技術でのスライスレベル
７１０                        本発明でのスライスレベル
８００                        従来技術によって抜き取ったＶＢＩデータ
８１０                        本発明によって抜き取ったＶＢＩデータ
９００                        ペデスタルレベル検出部
９１０                        ペデスタルレベル値
１１００                      ＭＡＸ周期検出部
１２００                      振幅判定部
１３００                      上限判定部
１４００                      スライス判定部
１５００                      フィールド検出部
【図１】
2007288260.tif 000003
【図２】
2007288260.tif 000004
【図３】
2007288260.tif 000005
【図４】
2007288260.tif 000006
【図５】
2007288260.tif 000007
【図６】
2007288260.tif 000008
【図７】
2007288260.tif 000009
【図８】
2007288260.tif 000010
【図９】
2007288260.tif 000011
【図１０】
2007288260.tif 000012
【図１１】
2007288260.tif 000013
【図１２】
2007288260.tif 000014
【図１３】
2007288260.tif 000015
【図１４】
2007288260.tif 000016
【図１５】
2007288260.tif 000017
【図１６】
2007288260.tif 000018